(57)【特許請求の範囲】
【請求項１】
ネットワークに接続された基地局と複数の加入者局とが時分割多元接続方式をもって無線通信を行うことにより、前記ネットワークと前記加入者局に接続される端末とがデータ転送を行うシステムにおけるＥｔｈｅｒ信号処理方法において、
前記基地局が、ネットワークから送信されるＶＬＡＮタグ付Ｅｔｈｅｒ信号のＶＬＡＮタグを用いて、前記加入者局を特定する加入者局特定ステップと、
前記基地局が、前記特定された加入者局に、前記ネットワークから送信されるＶＬＡＮタグ付Ｅｔｈｅｒ信号を転送する転送ステップと、
前記加入者局が、前記基地局から転送されたＶＬＡＮタグ付Ｅｔｈｅｒ信号のＶＬＡＮタグを削除しデータシフトを行い、ＶＬＡＮタグ無しＥｔｈｅｒ信号を生成する削除ステップと、
前記加入者局が、該加入者局に収容される端末から送信されるＥｔｈｅｒ信号を前記基地局へ転送するステップと、
前記基地局が、前記加入者局から送信されるＥｔｈｅｒ信号にＶＬＡＮタグを付与するステップと、
前記基地局が、該ＶＬＡＮタグが付与されたＥｔｈｅｒ信号を前記ネットワークに送信するステップと、
を有することを特徴とするＥｔｈｅｒ信号処理方法。
【請求項２】
ネットワークに接続された基地局と複数の加入者局とが時分割多元接続方式をもって無線通信を行うことにより、前記ネットワークと前記加入者局に接続される端末とがデータ転送を行うシステムにおける前記基地局であって、
網インタフェース部、下りＭＡＣスケジューリング処理部、上りＭＡＣスケジューリング処理部、ＴＤＭＡ／ＴＤＤ制御部、および変復調部を有し、
前記網インタフェース部は、
下りバッファ、上りバッファ、およびＶＬＡＮタグ付Ｅｔｈｅｒ信号を無線ＭＡＣフレームに分割し、前記下りバッファに転送する下り処理と後記Ｕ−ＣＰＵから転送されるＶＬＡＮタグ付Ｅｔｈｅｒ信号を上りバッファに格納し、該格納したＶＬＡＮタグ付Ｅｔｈｅｒ信号をネットワークへ送信する上り処理を実行するＥ−ＣＰＵ部を有し、
前記下りＭＡＣスケジューリング処理部は、各加入者局に用意される下り加入者局バッファ、および無線データを前記下り加入者局バッファに格納し、該格納した無線データを各加入者局に送信する順番を定めるスケジューリング処理を行い、無線ＭＡＣフレームにヘッダ領域を付与して、ＴＤＭＡ／ＴＤＤ部へ転送するＤ−ＣＰＵ部を有し、
前記上りＭＡＣスケジューリング処理部は、各加入者局に用意される上り加入者局バッファ、およびＴＤＭＡ／ＴＤＤから送信される複数の無線ＭＡＣフレームを前記上り加入者局バッファに格納し、該格納した複数の無線ＭＡＣフレームを合成してＥｔｈｅｒ信号を生成し、該複数の無線ＭＡＣフレームを送信した加入者局の加入者局番号とＶＬＡＮ−加入者局対応テーブルとを参照して、該生成したＥｔｈｅｒ信号にＶＬＡＮタグを付与してＶＬＡＮタグ付Ｅｔｈｅｒ信号を生成し、該生成したＶＬＡＮタグ付Ｅｔｈｅｒ信号を前記Ｅ−ＣＰＵへ送信するＵ−ＣＰＵ部を有し、
前記ＴＤＭＡ／ＴＤＤ制御部は、前記下りＭＡＣスケジューリング処理部から転送された無線ＭＡＣフレームを下りデータ領域として、さらに該下りデータ領域に加入者局番号や再合成情報などのヘッダ領域を付与して下り回線情報とし、これを前記変復調部へ転送する一方、
前記加入者局から転送される上り回線情報を、該上り回線情報のヘッダ領域の再合成情報に基づき無線ＭＡＣフレームを生成し、該上り回線情報のヘッダ領域の加入者局番号に基づき、前記生成した無線ＭＡＣフレームをＵ−ＣＰＵに転送し、
前記変復調部は、前記ＴＤＭＡ／ＴＤＤ制御部から転送される下り回線情報を変調する一方、前記加入者局から転送される上り回線情報を復調する、
ことを特徴とする基地局。
【請求項３】
ネットワークに接続された基地局と複数の加入者局とが時分割多元接続方式をもって無線通信を行うことにより、前記ネットワークと前記加入者局に接続される端末とがデータ転送を行うシステムにおける前記加入者局であって、
変復調部とＴＤＭＡ／ＴＤＤ制御部と、端末インタフェース部を有し、
前記変復調部は、前記基地局から送信される下り回線情報を復調する一方、前記ＴＤＭＡ／ＴＤＤ制御部から転送される上り回線情報を変調し、
前記ＴＤＭＡ／ＴＤＤ制御部は、前記変復調部から転送される下り回線情報から、該下り回線情報のヘッダ領域の再合成情報に基づき無線ＭＡＣフレームを生成し、該生成した無線ＭＡＣフレームを後記端末インタフェース部のＭ−ＣＰＵ部に転送する一方、後記端末インタフェース部のＭ−ＣＰＵから転送される無線ＭＡＣフレームを上りデータ領域として、さらに該上りデータ領域に加入者局番号や再合成情報などのヘッダ領域を付与して上り回線情報とし、これを前記変復調部へ転送し、
前記端末インタフェース部は、
下りバッファ、上りバッファ、および前記ＴＤＭＡ／ＴＤＤ制御から転送される無線ＭＡＣフレームを前記下りバッファに格納し、該格納した無線ＭＡＣフレームのヘッダ領域の再合成情報に基づいて、ＶＬＡＮタグ付Ｅｔｈｅｒ信号を生成し、該生成したＶＬＡＮタグ付Ｅｔｈｅｒ信号からＶＬＡＮタグを削除して、これを端末へ転送する下り処理と、端末から送信されるＶＬＡＮタグ無しＥｔｈｅｒ信号を無線ＭＡＣフレームに分割し、該分割した無線ＭＡＣフレームに再合成情報を付与して、前記上りバッファに格納し、該格納した無線ＭＡＣフレームを前記ＴＤＭＡ／ＴＤＤ制御部へ転送する上り処理とを行うＭ−ＣＰＵ部を有する、
ことを特徴とする加入者局。
【請求項４】
ネットワークに接続された基地局と複数の加入者局とが時分割多元接続方式をもって無線通信を行うことにより、前記ネットワークと前記加入者局に接続される端末とがデータ転送を行うシステムにおけるＥｔｈｅｒ信号処理方法において、
各加入者局に、非透過モードまたは透過モードを示すＶＩＤ処理モードがあらかじめ設定され、
前記基地局が、ネットワークから送信されるＶＬＡＮタグ付Ｅｔｈｅｒ信号のＶＬＡＮタグを用いて、前記加入者局を特定する加入者局特定ステップと、
前記基地局が、前記特定された加入者局に、前記ネットワークから送信されるＶＬＡＮタグ付Ｅｔｈｅｒ信号を転送する転送ステップと、
前記加入者局が、該加入者局に設定されている前記ＶＩＤ処理モードが非透過モードの場合には前記基地局から転送されたＶＬＡＮタグ付Ｅｔｈｅｒ信号のＶＬＡＮタグを削除して、ＶＬＡＮタグ無しＥｔｈｅｒ信号を該加入者局に収容される端末へ転送し、該加入者局に設定されている前記ＶＩＤ処理モードが透過モードの場合には前記基地局から転送されたＶＬＡＮタグ付Ｅｔｈｅｒ信号を該加入者局に収容される端末へ転送するステップと、
を有することを特徴とするＥｔｈｅｒ信号処理方法。
【請求項５】
ネットワークに接続された基地局と複数の加入者局とが時分割多元接続方式をもって無線通信を行うことにより、前記ネットワークと前記加入者局に接続される端末とがデータ転送を行うシステムにおけるＥｔｈｅｒ信号処理方法において、
各加入者局に、非透過モードまたは透過モードを示すＶＩＤ処理モードがあらかじめ設定され、
前記加入者局が、該加入者局に収容される端末から送信されるＥｔｈｅｒ信号を前記基地局へ転送するステップと、
前記基地局が、前記ＶＩＤ処理モードとして非透過モードが設定されている加入者局から転送されたＥｔｈｅｒ信号にＶＬＡＮタグを付与して、前記ネットワークに送信し、かつ、前記ＶＩＤ処理モードとして透過モードが設定されている加入者局から転送されたＶＬＡＮタグ付Ｅｔｈｅｒ信号を前記ネットワークに送信するステップと、
を有することを特徴とするＥｔｈｅｒ信号処理方法。
【請求項６】
ネットワークに接続された基地局と複数の加入者局とが時分割多元接続方式をもって無線通信を行うことにより、前記ネットワークと前記加入者局に接続される端末とがデータ転送を行うシステムにおけるＥｔｈｅｒ信号処理方法において、
各加入者局に、非透過モードまたは透過モードを示すＶＩＤ処理モードがあらかじめ設定され、
前記基地局が、前記ネットワークから送信されたＶＬＡＮタグ付Ｅｔｈｅｒ信号を、固定長の無線ＭＡＣフレームに分割して、該基地局の下りバッファに格納するステップと、
前記基地局が、ＶＬＡＮ−加入者局対応テーブルを参照して、前記分割された複数の無線ＭＡＣフレームを、前記ＶＬＡＮタグが示す加入者局用の下り加入者局バッファに格納するステップと、
前記基地局が、前記複数のＭＡＣフレームに対して、該複数のＭＡＣフレームを受信する加入者局がこれら複数のＭＡＣフレームを合成するための再合成情報を付加するステップと、
前記基地局が、前記再合成情報を付加した複数のＭＡＣフレームを、前記ＶＬＡＮタグが示す加入者局へ送信するステップと、
前記加入者局が、前記基地局から送信されたＭＡＣフレームを受信するステップと、
前記加入者局が、前記再合成情報に基づいて、前記受信した複数のＭＡＣフレームを合成し、前記ＶＬＡＮタグ付Ｅｔｈｅｒ信号を生成するステップと、
前記加入者局が、該加入者局に設定されている前記ＶＩＤ処理モードが非透過モードの場合には前記生成したＶＬＡＮタグ付Ｅｔｈｅｒ信号からＶＬＡＮタグを削除しデータシフトを行うことにより、ＶＬＡＮタグ無しＥｔｈｅｒ信号を生成し、該生成したＶＬＡＮタグ無しＥｔｈｅｒ信号を、該加入者局に収容されている端末に送信する一方、
該加入者局に設定されている前記ＶＩＤ処理モードが透過モードの場合には前記生成したＶＬＡＮタグ付Ｅｔｈｅｒ信号を該加入者局に収容されている端末へ転送するステップと、
を有することを特徴とするＥｔｈｅｒ信号処理方法。
【請求項７】
ネットワークに接続された基地局と、非透過モードまたは透過モードを示すＶＩＤ処理モードがあらかじめ設定された、複数の加入者局とが時分割多元接続方式をもって無線通信を行うことにより、前記ネットワークと前記加入者局に接続される端末とがデータ転送を行うシステムにおける前記基地局であって、
網インタフェース部、下りＭＡＣスケジューリング処理部、上りＭＡＣスケジューリング処理部、ＴＤＭＡ／ＴＤＤ制御部、および変復調部を有し、
前記網インタフェース部は、
下りバッファ、上りバッファ、およびＶＬＡＮタグ付Ｅｔｈｅｒ信号を無線ＭＡＣフレームに分割し、前記下りバッファに転送する下り処理と後記Ｕ−ＣＰＵから転送されるＶＬＡＮタグ付Ｅｔｈｅｒ信号を上りバッファに格納し、該格納したＶＬＡＮタグ付Ｅｔｈｅｒ信号をネットワークへ送信する上り処理を実行するＥ−ＣＰＵ部を有し、
前記下りＭＡＣスケジューリング処理部は、各加入者局に用意される下り加入者局バッファ、および無線データを前記下り加入者局バッファに格納し、該格納した無線データを各各加入者局に送信する順番を定めるスケジューリング処理を行い、無線ＭＡＣフレームにヘッダ領域を付与して、ＴＤＭＡ／ＴＤＤ部へ転送するＤ−ＣＰＵ部を有し、
前記上りＭＡＣスケジューリング処理部は、各加入者局に用意される上り加入者局バッファ、およびＴＤＭＡ／ＴＤＤから送信される複数の無線ＭＡＣフレームを前記上り加入者局バッファに格納し、該格納した複数の無線ＭＡＣフレームを合成してＥｔｈｅｒ信号を生成し、該複数の無線ＭＡＣフレームを送信した加入者局の加入者局番号とＶＬＡＮ−加入者局対応テーブルとを参照して、該生成したＥｔｈｅｒ信号にＶＬＡＮタグを付与してＶＬＡＮタグ付Ｅｔｈｅｒ信号を生成し、該生成したＶＬＡＮタグ付Ｅｔｈｅｒ信号を前記Ｅ−ＣＰＵへ送信するＵ−ＣＰＵ部を有し、
前記ＴＤＭＡ／ＴＤＤ制御部は、前記下りＭＡＣスケジューリング処理部から転送された無線ＭＡＣフレームを下りデータ領域として、さらに該下りデータ領域に加入者局番号や再合成情報などのヘッダ領域を付与して下り回線情報とし、これを前記変復調部へ転送する一方、
前記加入者局から転送される上り回線情報を、該上り回線情報のヘッダ領域の再合成情報に基づき無線ＭＡＣフレームを生成し、該上り回線情報のヘッダ領域の加入者局番号に基づき、前記生成した無線ＭＡＣフレームをＵ−ＣＰＵに転送し、
前記変復調部は、前記ＴＤＭＡ／ＴＤＤ制御部から転送される下り回線情報を変調する一方、前記加入者局から転送される上り回線情報を復調する、
ことを特徴とする基地局。
【請求項８】
ネットワークに接続された基地局と、非透過モードまたは透過モードを示すＶＩＤ処理モードがあらかじめ設定された、複数の加入者局とが時分割多元接続方式をもって無線通信を行うことにより、前記ネットワークと前記加入者局に接続される端末とがデータ転送を行うシステムにおける前記加入者局であって、
変復調部とＴＤＭＡ／ＴＤＤ制御部と、端末インタフェース部を有し、
前記変復調部は、前記基地局から送信される下り回線情報を復調する一方、前記ＴＤＭＡ／ＴＤＤ制御部から転送される上り回線情報を変調し、
前記ＴＤＭＡ／ＴＤＤ制御部は、前記変復調部から転送される下り回線情報から、該下り回線情報のヘッダ領域の再合成情報に基づき無線ＭＡＣフレームを生成し、該生成した無線ＭＡＣフレームを後記端末インタフェース部のＭ−ＣＰＵ部に転送する一方、後記端末インタフェース部のＭ−ＣＰＵから転送される無線ＭＡＣフレームを上りデータ領域として、さらに該上りデータ領域に加入者局番号や再合成情報などのヘッダ領域を付与して上り回線情報とし、これを前記変復調部へ転送し、
前記端末インタフェース部は、
下りバッファ、上りバッファ、および前記ＴＤＭＡ／ＴＤＤ制御から転送される無線ＭＡＣフレームを前記下りバッファに格納し、該格納した無線ＭＡＣフレームのヘッダ領域の再合成情報に基づいて、ＶＬＡＮタグ付Ｅｔｈｅｒ信号を生成し、該加入者局に設定されている前記ＶＩＤ処理モードが非透過モードの場合には前記基地局から転送されたＶＬＡＮタグ付Ｅｔｈｅｒ信号のＶＬＡＮタグを削除して、ＶＬＡＮタグ無しＥｔｈｅｒ信号を該加入者局に収容される端末へ転送し、該加入者局に設定されている前記ＶＩＤ処理モードが透過モードの場合には前記基地局から転送されたＶＬＡＮタグ付Ｅｔｈｅｒ信号を該加入者局に収容される端末へ転送する下り処理と、端末から送信されるＶＬＡＮタグ無しＥｔｈｅｒ信号を無線ＭＡＣフレームに分割し、該分割した無線ＭＡＣフレームに再合成情報を付与して、前記上りバッファに格納し、該格納した無線ＭＡＣフレームを前記ＴＤＭＡ／ＴＤＤ制御部へ転送する上り処理とを行うＭ−ＣＰＵ部を有する、
ことを特徴とする加入者局。
【発明の詳細な説明】
【０００１】
【発明の属する技術分野】
本発明は、Ｅｔｈｅｒ信号処理方法、基地局、および加入者局に関し、特に、基地局のＣＰＵ負荷を低下させることのできる、Ｅｔｈｅｒ信号処理方法、基地局、および加入者局に関する。
【０００２】
【従来の技術】
固定無線アクセスサービスを提供する通信システムは、一般的に、一つの基地局を用いた比較的小さいサービスエリアであるセルを多数並べることにより、全体として広いサービスエリアを提供する。
【０００３】
したがって、このような通信システムにおいては、基地局と複数の加入者局との間に複数の無線回線が形成されるが、周波数の有効利用を図るために、該複数の無線回線には共通の周波数チャネルが用いられる。
【０００４】
共通の周波数を複数の加入者局で使用するためには、無線信号の干渉（衝突）が生じないように制御する必要がある。この干渉が生じないようにするためには、複数の通信を送信時間の違いによって分離すればよい。
【０００５】
かかる分離した通信システムとしては、ＣＳＭＡ（Ｃａｒｒｉｅｒ  Ｓｅｎｓｅ  Ｍｕｌｔｉｐｌｅ  Ａｃｃｅｓｓ：搬送波検出多元接続）／ＣＡ（Ｃｏｌｌｉｓｉｏｎ  Ａｖｏｉｄａｎｃｅ：衝突回避）やＴＤＭＡが知られている。
【０００６】
ＣＳＭＡ／ＣＡは、受信レベルに基づいてキャリアセンスを行い、使用する周波数が他局で使用されていないことを確認してから送信をおこなう。したがって、ＣＳＭＡ／ＣＡは、各加入者局が他局の存在に気づかずに送信し、干渉が生じるという隠れ端末問題があるが、本明細書においては、ＣＳＭＡ／ＣＡについてこれ以上詳細に述べない。
【０００７】
ＴＤＭＡでは、無線信号の干渉（衝突）が生じないように基地局によってすべての通信が制御され、基地局と複数の加入者局とのデータ通信に使用されるタイムスロットも基地局にて一括して管理される。
【０００８】
図５は、ＴＤＭＡ／ＴＤＤを採用する通信システムにおける無線フレームの構成例を示す図である。図５において、ＴＳ１１（Ｔｉｍｅ  Ｓｌｏｔ  １１）は、すべての加入者局にてアクセス可能な領域であり、フレーム構造情報、監視制御を行うための情報、後記ＴＳ１４において各加入者局からのランダムに送信されるタイムスロット要求の調停をするための制御信号、ＴＳ１４にて加入者局より送信されたタイムスロット要求に応じて、基地局がタイムスケジューリングにより割り当てたタイムスロットを通知する時間帯である。
【０００９】
ＴＳ１２は、基地局から各加入者局に対する下り方向のユーザデータを伝送するための時間帯である。この時間帯は、一般に、無線リソースを有効に利用して、かつ、複数の加入者局間の公平性を確保する観点から固定長の時間帯に分割されている。また、無線誤り品質および伝送するデータの効率性を考慮した時間帯が決定される。
【００１０】
ＴＳ１３は、基地局と複数の加入者局間の距離差により発生する伝播遅延時間を測定し、各加入者局から送信する無線信号の送信タイミングを調整して基地局の受信において無線信号が衝突しないように制御するための時間帯である。また、ＴＳ１３においては、上り監視制御信号の送信も行われる。
【００１１】
ＴＳ１４は、加入者局が基地局に対して上り方向におけるユーザデータ伝送用のタイムスロットを要求するための時間帯であり、本タイムスロットにおいてなされた該要求に応じて、基地局は加入者局にユーザデータ伝送用のタイムスロットを割り当てる。そして、基地局は、ユーザデータ伝送用のタイムスロットをＴＳ１１において加入者局に通知し、加入者局は、この通知されたタイムスロットを使用してユーザデータを送信する。なお、ＴＳ１４も、上記ＴＳ１２と同様に固定長の時間帯に分割されている。
【００１２】
ＴＳ１５は、上記ユーザデータ伝送用の時間帯である。ＴＳ１６は、上り回線と下り回線との境界に設定される、干渉防止用のガードタイムである。
従来のＴＤＭＡ／ＴＤＤを採用する通信システムにおいては、上記のような無線フレームを用いて、下記のようなＥｔｈｅｒ信号処理がおこなわれていた。
【００１３】
図６は、従来のＥｔｈｅｒ信号処理例（基地局）を示す図である。基地局においては、ＶＬＡＮと加入者局を特定するためのデータがあらかじめ設定されている。基地局は、ネットワークから受信されるＶＬＡＮタグ付Ｅｔｈｅｒ信号の転送先加入者局を、あらかじめ設定されているＶＩＤと加入者局との対応データを参照することにより特定する。
【００１４】
その後、基地局は、ＶＬＡＮタグ付Ｅｔｈｅｒ信号からＶＬＡＮタグを削除してデータシフトを行いＶＬＡＮタグ無しＥｔｈｅｒ信号を生成する。基地局は、この生成されたＶＬＡＮタグ無しＥｔｈｅｒ信号を、下り無線ＭＡＣフレームのサイズに分割して、該分割された複数の無線ＭＡＣフレームを前記特定した加入者局に転送する。
【００１５】
図７は、従来のＥｔｈｅｒ信号処理例（加入者局）を示す図である。加入者局は、基地局から上記処理を経て転送されてきた複数の下り無線ＭＡＣフレームを合成してＶＬＡＮタグ無し従来のＥｔｈｅｒ信号を生成する。そして、加入者局は、自己に収容（接続）されている端末に対して、この生成したＶＬＡＮタグ無し従来のＥｔｈｅｒ信号を転送する。
【００１６】
【発明が解決しようとする課題】
しかし、上記従来のＥｔｈｅｒ信号処理方法では、基地局は、ネットワークからＶＬＡＮタグ付Ｅｔｈｅｒ信号を受信する度に、この信号からＶＬＡＮタグを削除する処理を実行する必要がある。さらに、ＶＬＡＮタグはＥｔｈｅｒ信号の先頭に配置されているため、基地局は、ＶＬＡＮタグを削除後、Ｅｔｈｅｒ信号についてデータシフト処理を行う必要がある。
【００１７】
したがって、上記従来のＥｔｈｅｒ信号処理方法では、基地局のＣＰＵ負荷が過大であったため、通信システム全体のパフォーマンスおよびスループットの低下という問題が生じていた。
【００１８】
そこで、本発明は、かかる事情に鑑み、通信システム全体のパフォーマンスを向上させて、スループットの低下を防止すべく、基地局のＣＰＵ負荷を低減させることのできる、Ｅｔｈｅｒ信号処理方法、基地局、および加入者局を提供することを目的とする。
【００１９】
【課題を解決するための手段】
本発明によれば、上記課題は、前記特許請求の範囲に記載の手段により解決される。すなわち、請求項１に記載の発明は、ネットワークに接続された基地局と複数の加入者局とが時分割多元接続方式をもって無線通信を行うことにより、前記ネットワークと前記加入者局に接続される端末とがデータ転送を行うシステムにおけるＥｔｈｅｒ信号処理方法において、
【００２０】
前記基地局が、ネットワークから送信されるＶＬＡＮタグ付Ｅｔｈｅｒ信号のＶＬＡＮタグを用いて、前記加入者局を特定する加入者局特定ステップと、前記基地局が、前記特定された加入者局に、前記ネットワークから送信されるＶＬＡＮタグ付Ｅｔｈｅｒ信号を転送する転送ステップと、
【００２１】
前記加入者局が、前記基地局から転送されたＶＬＡＮタグ付Ｅｔｈｅｒ信号のＶＬＡＮタグを削除しデータシフトを行い、ＶＬＡＮタグ無しＥｔｈｅｒ信号を生成する削除ステップと、前記加入者局が、該加入者局に収容される端末から送信されるＥｔｈｅｒ信号を前記基地局へ転送するステップと、前記基地局が、前記加入者局から送信されるＥｔｈｅｒ信号にＶＬＡＮタグを付与するステップと、前記基地局が、該ＶＬＡＮタグが付与されたＥｔｈｅｒ信号を前記ネットワークに送信するステップと、を有することを特徴とするＥｔｈｅｒ信号処理方法である。
【００２２】
請求項１に記載の発明によれば、従来、基地局で行われていたＶＬＡＮタグ削除処理、およびこれに伴うデータシフト処理は、加入者局で行われる。したがって、請求項１に記載の発明によれば、基地局のＣＰＵ負荷を複数の加入者局に分散できるため、基地局のＣＰＵ負荷を低減させることができる。
【００２４】
さらに請求項１に記載の発明によれば、加入者局から基地局を通じてネットワークへデータが送信される際には、基地局によりＥｔｈｅｒ信号にＶＬＡＮタグが付与される。
したがって、請求項１に記載の発明によれば、基地局のＣＰＵ負荷と加入者局のＣＰＵ負荷のバランスをとることができるため、通信システム全体のパフォーマンスを向上させることができる。
【００３１】
請求項４に記載の発明は、ネットワークに接続された基地局と複数の加入者局とが時分割多元接続方式をもって無線通信を行うことにより、前記ネットワークと前記加入者局に接続される端末とがデータ転送を行うシステムにおける前記基地局であって、
【００３２】
網インタフェース部、下りＭＡＣスケジューリング処理部、上りＭＡＣスケジューリング処理部、ＴＤＭＡ／ＴＤＤ制御部、および変復調部を有し、前記網インタフェース部は、下りバッファ、上りバッファ、およびＶＬＡＮタグ付Ｅｔｈｅｒ信号を無線ＭＡＣフレームに分割し、前記下りバッファに転送する下り処理と後記Ｕ−ＣＰＵから転送されるＶＬＡＮタグ付Ｅｔｈｅｒ信号を上りバッファに格納し、該格納したＶＬＡＮタグ付Ｅｔｈｅｒ信号をネットワークへ送信する上り処理を実行するＥ−ＣＰＵ部を有し、
【００３３】
前記下りＭＡＣスケジューリング処理部は、各加入者局に用意される下り加入者局バッファ、および無線データを前記下り加入者局バッファに格納し、該格納した無線データを各加入者局に送信する順番を定めるスケジューリング処理を行い、無線ＭＡＣフレームにヘッダ領域を付与して、ＴＤＭＡ／ＴＤＤ部へ転送するＤ−ＣＰＵ部を有し、
【００３４】
前記上りＭＡＣスケジューリング処理部は、各加入者局に用意される上り加入者局バッファ、およびＴＤＭＡ／ＴＤＤから送信される複数の無線ＭＡＣフレームを前記上り加入者局バッファに格納し、該格納した複数の無線ＭＡＣフレームを合成してＥｔｈｅｒ信号を生成し、該複数の無線ＭＡＣフレームを送信した加入者局の加入者局番号とＶＬＡＮ−加入者局対応テーブルとを参照して、該生成したＥｔｈｅｒ信号にＶＬＡＮタグを付与してＶＬＡＮタグ付Ｅｔｈｅｒ信号を生成し、該生成したＶＬＡＮタグ付Ｅｔｈｅｒ信号を前記Ｅ−ＣＰＵへ送信するＵ−ＣＰＵ部を有し、
【００３５】
前記ＴＤＭＡ／ＴＤＤ制御部は、前記下りＭＡＣスケジューリング処理部から転送された無線ＭＡＣフレームを下りデータ領域として、さらに該下りデータ領域に加入者局番号や再合成情報などのヘッダ領域を付与して下り回線情報とし、これを前記変復調部へ転送する一方、
【００３６】
前記加入者局から転送される上り回線情報を、該上り回線情報のヘッダ領域の再合成情報に基づき無線ＭＡＣフレームを生成し、該上り回線情報のヘッダ領域の加入者局番号に基づき、前記生成した無線ＭＡＣフレームをＵ−ＣＰＵに転送し、
【００３７】
前記変復調部は、前記ＴＤＭＡ／ＴＤＤ制御部から転送される下り回線情報を変調する一方、前記加入者局から転送される上り回線情報を復調する、ことを特徴とする基地局である。
【００３８】
請求項４に記載の発明によれば、従来、基地局で行われていたＶＬＡＮタグ削除処理、およびこれに伴うデータシフト処理は、加入者局で行われる。したがって、請求項５に記載の発明によれば、基地局のＣＰＵ負荷を複数の加入者局に分散できるため、基地局のＣＰＵ負荷を低減させることができる。
【００３９】
請求項５に記載の発明は、ネットワークに接続された基地局と複数の加入者局とが時分割多元接続方式をもって無線通信を行うことにより、前記ネットワークと前記加入者局に接続される端末とがデータ転送を行うシステムにおける前記加入者局であって、
【００４０】
変復調部とＴＤＭＡ／ＴＤＤ制御部と、端末インタフェース部を有し、前記変復調部は、前記基地局から送信される下り回線情報を復調する一方、前記ＴＤＭＡ／ＴＤＤ制御部から転送される上り回線情報を変調し、前記ＴＤＭＡ／ＴＤＤ制御部は、前記変復調部から転送される下り回線情報から、該下り回線情報のヘッダ領域の再合成情報に基づき無線ＭＡＣフレームを生成し、
【００４１】
該生成した無線ＭＡＣフレームを後記端末インタフェース部のＭ−ＣＰＵ部に転送する一方、後記端末インタフェース部のＭ−ＣＰＵから転送される無線ＭＡＣフレームを上りデータ領域として、さらに該上りデータ領域に加入者局番号や再合成情報などのヘッダ領域を付与して上り回線情報とし、これを前記変復調部へ転送し、前記端末インタフェース部は、下りバッファ、上りバッファ、および前記ＴＤＭＡ／ＴＤＤ制御から転送される無線ＭＡＣフレームを前記下りバッファに格納し、該格納した無線ＭＡＣフレームのヘッダ領域の再合成情報に基づいて、ＶＬＡＮタグ付Ｅｔｈｅｒ信号を生成し、
【００４２】
該生成したＶＬＡＮタグ付Ｅｔｈｅｒ信号からＶＬＡＮタグを削除して、これを端末へ転送する下り処理と、端末から送信されるＶＬＡＮタグ無しＥｔｈｅｒ信号を無線ＭＡＣフレームに分割し、該分割した無線ＭＡＣフレームに再合成情報を付与して、前記上りバッファに格納し、該格納した無線ＭＡＣフレームを前記ＴＤＭＡ／ＴＤＤ制御部へ転送する上り処理とを行うＭ−ＣＰＵ部を有する、ことを特徴とする加入者局である。
【００４３】
請求項５に記載の発明によれば、従来、基地局で行われていたＶＬＡＮタグ削除処理、およびこれに伴うデータシフト処理は、加入者局で行われる。したがって、請求項５に記載の発明によれば、基地局のＣＰＵ負荷を複数の加入者局に分散できるため、基地局のＣＰＵ負荷を低減させることができる。
【００４４】
請求項６に記載の発明は、ネットワークに接続された基地局と複数の加入者局とが時分割多元接続方式をもって無線通信を行うことにより、前記ネットワークと前記加入者局に接続される端末とがデータ転送を行うシステムにおけるＥｔｈｅｒ信号処理方法において、
【００４５】
各加入者局に、非透過モードまたは透過モードを示すＶＩＤ処理モードがあらかじめ設定され、前記基地局が、ネットワークから送信されるＶＬＡＮタグ付Ｅｔｈｅｒ信号のＶＬＡＮタグを用いて、前記加入者局を特定する加入者局特定ステップと、前記基地局が、前記特定された加入者局に、前記ネットワークから送信されるＶＬＡＮタグ付Ｅｔｈｅｒ信号を転送する転送ステップと、
【００４６】
前記加入者局が、該加入者局に設定されている前記ＶＩＤ処理モードが非透過モードの場合には前記基地局から転送されたＶＬＡＮタグ付Ｅｔｈｅｒ信号のＶＬＡＮタグを削除して、ＶＬＡＮタグ無しＥｔｈｅｒ信号を該加入者局に収容される端末へ転送し、該加入者局に設定されている前記ＶＩＤ処理モードが透過モードの場合には前記基地局から転送されたＶＬＡＮタグ付Ｅｔｈｅｒ信号を該加入者局に収容される端末へ転送するステップと、を有することを特徴とするＥｔｈｅｒ信号処理方法である。
【００４７】
請求項６に記載の発明によれば、透過モードの加入者局は、ＶＬＡＮタグ付Ｅｔｈｅｒ信号からＶＬＡＮタグを削除しない。したがって、請求項６に記載の発明におけるＶＬＡＮタグとして、端末を識別する情報を採用すれば、１つの加入者局に複数の端末を収容することができる。すなわち、請求項６に記載の発明によれば、加入者局は、ＶＬＡＮタグを削除することなく、ＶＬＡＮタグ付Ｅｔｈｅｒ信号をそのまま端末に転送する。
【００４８】
したがって、加入者局と端末との間に、ＶＬＡＮタグを識別できるスイッチングハブを設けることにより、１つの加入者局に複数の端末を収容することができる。
【００４９】
したがって、請求項６に記載の発明において、ＶＩＤ処理モードおよびＶＬＡＮタグをオペレーションシステムにより情報設定、変更することにより、収容する端末を柔軟に変更することができる。
【００５０】
請求項７に記載の発明は、ネットワークに接続された基地局と複数の加入者局とが時分割多元接続方式をもって無線通信を行うことにより、前記ネットワークと前記加入者局に接続される端末とがデータ転送を行うシステムにおけるＥｔｈｅｒ信号処理方法において、各加入者局に、非透過モードまたは透過モードを示すＶＩＤ処理モードがあらかじめ設定され、前記加入者局が、該加入者局に収容される端末から送信されるＥｔｈｅｒ信号を前記基地局へ転送するステップと、前記基地局が、前記ＶＩＤ処理モードとして非透過モードが設定されている加入者局から転送されたＥｔｈｅｒ信号にＶＬＡＮタグを付与して、
【００５１】
前記ネットワークに送信し、かつ、前記ＶＩＤ処理モードとして透過モードが設定されている加入者局から転送されたＶＬＡＮタグ付Ｅｔｈｅｒ信号を前記ネットワークに送信するステップと、を有することを特徴とするＥｔｈｅｒ信号処理方法である。
【００５２】
請求項７に記載の発明によれば、加入者局から基地局を通じてネットワークへデータが送信される際には、基地局によりＥｔｈｅｒ信号にＶＬＡＮタグが付与される。したがって、請求項７に記載の発明によれば、基地局のＣＰＵ負荷と加入者局のＣＰＵ負荷のバランスをとることができるため、通信システム全体のパフォーマンスを向上させることができる。
【００５３】
また、請求項７に記載の発明によれば、透過モードの加入者局は、ＶＬＡＮタグ付Ｅｔｈｅｒ信号からＶＬＡＮタグを削除しない。したがって、請求項７に記載の発明におけるＶＬＡＮタグとして、端末を識別する情報を採用すれば、１つの加入者局に複数の端末を収容することができる。すなわち、請求項７に記載の発明によれば、加入者局は、ＶＬＡＮタグを削除することなく、ＶＬＡＮタグ付Ｅｔｈｅｒ信号をそのまま端末に転送する。
【００５４】
したがって、加入者局と端末との間に、ＶＬＡＮタグを識別できるスイッチングハブを設けることにより、１つの加入者局に複数の端末を収容することができる。
【００５５】
したがって、請求項７に記載の発明において、ＶＩＤ処理モードおよびＶＬＡＮタグをオペレーションシステムにより情報設定、変更することにより、収容する端末を柔軟に変更することができる。
【００５６】
請求項８に記載の発明は、ネットワークに接続された基地局と複数の加入者局とが時分割多元接続方式をもって無線通信を行うことにより、前記ネットワークと前記加入者局に接続される端末とがデータ転送を行うシステムにおけるＥｔｈｅｒ信号処理方法において、各加入者局に、非透過モードまたは透過モードを示すＶＩＤ処理モードがあらかじめ設定され、
【００５７】
前記基地局が、前記ネットワークから送信されたＶＬＡＮタグ付Ｅｔｈｅｒ信号を、固定長の無線ＭＡＣフレームに分割して、該基地局の下りバッファに格納するステップと、前記基地局が、ＶＬＡＮ−加入者局対応テーブルを参照して、前記分割された複数の無線ＭＡＣフレームを、前記ＶＬＡＮタグが示す加入者局用の下り加入者局バッファに格納するステップと、
【００５８】
前記基地局が、前記複数のＭＡＣフレームに対して、該複数のＭＡＣフレームを受信する加入者局がこれら複数のＭＡＣフレームを合成するための再合成情報を付加するステップと、前記基地局が、前記再合成情報を付加した複数のＭＡＣフレームを、前記ＶＬＡＮタグが示す加入者局へ送信するステップと、
【００５９】
前記加入者局が、前記基地局から送信されたＭＡＣフレームを受信するステップと、前記加入者局が、前記再合成情報に基づいて、前記受信した複数のＭＡＣフレームを合成し、前記ＶＬＡＮタグ付Ｅｔｈｅｒ信号を生成するステップと、
【００６０】
前記加入者局が、該加入者局に設定されている前記ＶＩＤ処理モードが非透過モードの場合には前記生成したＶＬＡＮタグ付Ｅｔｈｅｒ信号からＶＬＡＮタグを削除しデータシフトを行うことにより、ＶＬＡＮタグ無しＥｔｈｅｒ信号を生成し、該生成したＶＬＡＮタグ無しＥｔｈｅｒ信号を、該加入者局に収容されている端末に送信する一方、
【００６１】
該加入者局に設定されている前記ＶＩＤ処理モードが透過モードの場合には前記生成したＶＬＡＮタグ付Ｅｔｈｅｒ信号を該加入者局に収容されている端末へ転送するステップと、を有することを特徴とするＥｔｈｅｒ信号処理方法である。
【００６２】
請求項８に記載の発明によれば、透過モードの加入者局は、ＶＬＡＮタグ付Ｅｔｈｅｒ信号からＶＬＡＮタグを削除しない。したがって、請求項８に記載の発明におけるＶＬＡＮタグとして、端末を識別する情報を採用すれば、１つの加入者局に複数の端末を収容することができる。すなわち、請求項８に記載の発明によれば、加入者局は、ＶＬＡＮタグを削除することなく、ＶＬＡＮタグ付Ｅｔｈｅｒ信号をそのまま端末に転送する。
【００６３】
したがって、加入者局と端末との間に、ＶＬＡＮタグを識別できるスイッチングハブを設けることにより、１つの加入者局に複数の端末を収容することができる。
【００６４】
したがって、請求項８に記載の発明において、ＶＩＤ処理モードおよびＶＬＡＮタグをオペレーションシステムにより情報設定、変更することにより、収容する端末を柔軟に変更することができる。
【００６５】
請求項９に記載の発明は、ネットワークに接続された基地局と、非透過モードまたは透過モードを示すＶＩＤ処理モードがあらかじめ設定された、複数の加入者局とが時分割多元接続方式をもって無線通信を行うことにより、前記ネットワークと前記加入者局に接続される端末とがデータ転送を行うシステムにおける前記基地局であって、
【００６６】
網インタフェース部、下りＭＡＣスケジューリング処理部、上りＭＡＣスケジューリング処理部、ＴＤＭＡ／ＴＤＤ制御部、および変復調部を有し、前記網インタフェース部は、下りバッファ、上りバッファ、およびＶＬＡＮタグ付Ｅｔｈｅｒ信号を無線ＭＡＣフレームに分割し、前記下りバッファに転送する下り処理と後記Ｕ−ＣＰＵから転送されるＶＬＡＮタグ付Ｅｔｈｅｒ信号を上りバッファに格納し、該格納したＶＬＡＮタグ付Ｅｔｈｅｒ信号をネットワークへ送信する上り処理を実行するＥ−ＣＰＵ部を有し、
【００６７】
前記下りＭＡＣスケジューリング処理部は、各加入者局に用意される下り加入者局バッファ、および無線データを前記下り加入者局バッファに格納し、該格納した無線データを各各加入者局に送信する順番を定めるスケジューリング処理を行い、無線ＭＡＣフレームにヘッダ領域を付与して、ＴＤＭＡ／ＴＤＤ部へ転送するＤ−ＣＰＵ部を有し、
【００６８】
前記上りＭＡＣスケジューリング処理部は、各加入者局に用意される上り加入者局バッファ、およびＴＤＭＡ／ＴＤＤから送信される複数の無線ＭＡＣフレームを前記上り加入者局バッファに格納し、該格納した複数の無線ＭＡＣフレームを合成してＥｔｈｅｒ信号を生成し、該複数の無線ＭＡＣフレームを送信した加入者局の加入者局番号とＶＬＡＮ−加入者局対応テーブルとを参照して、該生成したＥｔｈｅｒ信号にＶＬＡＮタグを付与してＶＬＡＮタグ付Ｅｔｈｅｒ信号を生成し、該生成したＶＬＡＮタグ付Ｅｔｈｅｒ信号を前記Ｅ−ＣＰＵへ送信するＵ−ＣＰＵ部を有し、
【００６９】
前記ＴＤＭＡ／ＴＤＤ制御部は、前記下りＭＡＣスケジューリング処理部
から転送された無線ＭＡＣフレームを下りデータ領域として、さらに該下りデータ領域に加入者局番号や再合成情報などのヘッダ領域を付与して下り回線情報とし、これを前記変復調部へ転送する一方、
【００７０】
前記加入者局から転送される上り回線情報を、該上り回線情報のヘッダ領域の再合成情報に基づき無線ＭＡＣフレームを生成し、該上り回線情報のヘッダ領域の加入者局番号に基づき、前記生成した無線ＭＡＣフレームをＵ−ＣＰＵに転送し、前記変復調部は、前記ＴＤＭＡ／ＴＤＤ制御部から転送される下り回線情報を変調する一方、前記加入者局から転送される上り回線情報を復調する、ことを特徴とする基地局である。
【００７１】
請求項９に記載の発明によれば、透過モードの加入者局は、ＶＬＡＮタグ付Ｅｔｈｅｒ信号からＶＬＡＮタグを削除しない。したがって、請求項９に記載の発明におけるＶＬＡＮタグとして、端末を識別する情報を採用すれば、１つの加入者局に複数の端末を収容することができる。すなわち、請求項９に記載の発明によれば、加入者局は、ＶＬＡＮタグを削除することなく、ＶＬＡＮタグ付Ｅｔｈｅｒ信号をそのまま端末に転送する。
【００７２】
したがって、加入者局と端末との間に、ＶＬＡＮタグを識別できるスイッチングハブを設けることにより、１つの加入者局に複数の端末を収容することができる。
【００７３】
したがって、請求項９に記載の発明において、ＶＩＤ処理モードおよびＶＬＡＮタグをオペレーションシステムにより情報設定、変更することにより、収容する端末を柔軟に変更することができる。
【００７４】
請求項１０に記載の発明は、ネットワークに接続された基地局と、非透過モードまたは透過モードを示すＶＩＤ処理モードがあらかじめ設定された、複数の加入者局とが時分割多元接続方式をもって無線通信を行うことにより、前記ネットワークと前記加入者局に接続される端末とがデータ転送を行うシステムにおける前記加入者局であって、
【００７５】
変復調部とＴＤＭＡ／ＴＤＤ制御部と、端末インタフェース部を有し、前記変復調部は、前記基地局から送信される下り回線情報を復調する一方、前記ＴＤＭＡ／ＴＤＤ制御部から転送される上り回線情報を変調し、前記ＴＤＭＡ／ＴＤＤ制御部は、前記変復調部から転送される下り回線情報から、該下り回線情報のヘッダ領域の再合成情報に基づき無線ＭＡＣフレームを生成し、該生成した無線ＭＡＣフレームを後記端末インタフェース部のＭ−ＣＰＵ部に転送する一方、
【００７６】
後記端末インタフェース部のＭ−ＣＰＵから転送される無線ＭＡＣフレームを上りデータ領域として、さらに該上りデータ領域に加入者局番号や再合成情報などのヘッダ領域を付与して上り回線情報とし、これを前記変復調部へ転送し、
【００７７】
前記端末インタフェース部は、下りバッファ、上りバッファ、および前記ＴＤＭＡ／ＴＤＤ制御から転送される無線ＭＡＣフレームを前記下りバッファに格納し、該格納した無線ＭＡＣフレームのヘッダ領域の再合成情報に基づいて、ＶＬＡＮタグ付Ｅｔｈｅｒ信号を生成し、該加入者局に設定されている前記ＶＩＤ処理モードが非透過モードの場合には前記基地局から転送されたＶＬＡＮタグ付Ｅｔｈｅｒ信号のＶＬＡＮタグを削除して、ＶＬＡＮタグ無しＥｔｈｅｒ信号を該加入者局に収容される端末へ転送し、
【００７８】
該加入者局に設定されている前記ＶＩＤ処理モードが透過モードの場合には前記基地局から転送されたＶＬＡＮタグ付Ｅｔｈｅｒ信号を該加入者局に収容される端末へ転送する下り処理と、端末から送信されるＶＬＡＮタグ無しＥｔｈｅｒ信号を無線ＭＡＣフレームに分割し、該分割した無線ＭＡＣフレームに再合成情報を付与して、前記上りバッファに格納し、該格納した無線ＭＡＣフレームを前記ＴＤＭＡ／ＴＤＤ制御部へ転送する上り処理とを行うＭ−ＣＰＵ部を有する、ことを特徴とする加入者局である。
【００７９】
請求項１０に記載の発明によれば、透過モードの加入者局は、ＶＬＡＮタグ付Ｅｔｈｅｒ信号からＶＬＡＮタグを削除しない。したがって、請求項１０に記載の発明におけるＶＬＡＮタグとして、端末を識別する情報を採用すれば、１つの加入者局に複数の端末を収容することができる。すなわち、請求項１０に記載の発明によれば、加入者局は、ＶＬＡＮタグを削除することなく、ＶＬＡＮタグ付Ｅｔｈｅｒ信号をそのまま端末に転送する。
【００８０】
したがって、加入者局と端末との間に、ＶＬＡＮタグを識別できるスイッチングハブを設けることにより、１つの加入者局に複数の端末を収容することができる。
【００８１】
したがって、請求項１０に記載の発明において、ＶＩＤ処理モードおよびＶＬＡＮタグをオペレーションシステムにより情報設定、変更することにより、収容する端末を柔軟に変更することができる。
【００８２】
【発明の実施の形態】
以下に添付図面を参照して、本発明の好適な実施の形態を詳細に説明する。図４は、本発明の実施の形態を適用する通信システムの一例を示す図である。ネットワーク（ＩＰ網）には、基地局１１が接続されている。基地局１１は、アンテナ１２を介して、加入者局２１〜加入者局２３と無線通信する。この通信には、時分割多元接続方式が採用される。
【００８３】
図１は、本発明の第１の実施の形態に係る基地局を示す図である。図１において、基地局は、前記ネットワークから送信されたＶＬＡＮタグ付Ｅｔｈｅｒ信号を、固定長の無線ＭＡＣフレームに分割して、基地局の下りバッファに格納する。
【００８４】
基地局は、ＶＬＡＮ−加入者局対応テーブルを参照して、分割された複数の無線ＭＡＣフレームを、ＶＬＡＮタグが示す加入者局用の下り加入者局バッファに格納する。
【００８５】
ＶＬＡＮ−加入者局対応テーブルは、ＶＬＡＮと加入者局の加入者局番号とを対応させたものが考えられるが、ＶＬＡＮから加入者局を、加入者局からＶＬＡＮを識別できるものであればなんでもよい。
【００８６】
基地局は、複数のＭＡＣフレームに対して、複数のＭＡＣフレームを受信する加入者局がこれら複数のＭＡＣフレームを合成するための再合成情報を付加する。ＶＬＡＮタグ付Ｅｔｈｅｒ信号は、複数に分割されて各加入者局へ送信されるため、加入者局において、複数の無線ＭＡＣフレームを合成して、ＶＬＡＮタグ付Ｅｔｈｅｒ信号を生成できるようにするためである。
【００８７】
この再合成情報としては、Ｅｔｈｅｒ信号を無線ＭＡＣフレームに分割した情報を用いることができるが、これに限られるものではない。したがって、再合成情報は、分割したＥｔｈｅｒ信号を再生成できる情報であればなんでもよい。
【００８８】
基地局は、再合成情報を付加した複数のＭＡＣフレームを、ＶＬＡＮタグが示す加入者局へ送信する。以上、本発明の第１の実施の形態に係る基地局について説明したが、以下、この基地局についてさらに詳細に説明する。
【００８９】
基地局は、網インタフェース部、下りＭＡＣスケジューリング処理部、上りＭＡＣスケジューリング処理部、ＴＤＭＡ／ＴＤＤ制御部、および変復調部を有している。
【００９０】
この網インタフェース部は、加入者局へ転送するデータを蓄積する下りバッファと加入者局から転送されたデータを蓄積する上りバッファを備えている。さらに、網インタフェース部は、下り処理と上り処理とを行うＥ−ＣＰＵ部を備えている。ここで、下り処理とは、ＶＬＡＮタグ付Ｅｔｈｅｒ信号を無線ＭＡＣフレームに分割し、前記下りバッファに転送する処理をいう。また、上り処理とは、後記Ｕ−ＣＰＵから転送されるＶＬＡＮタグ付Ｅｔｈｅｒ信号を上りバッファに格納し、該格納したＶＬＡＮタグ付Ｅｔｈｅｒ信号をネットワークへ送信する処理をいう。
【００９１】
下りＭＡＣスケジューリング処理部は、各加入者局に用意される下り加入者局バッファを有している。さらに、下りＭＡＣスケジューリング処理部は、Ｄ−ＣＰＵ部を有している。ここで、Ｄ−ＣＰＵ部は、無線データを下り加入者局バッファに格納し、格納した無線データを各加入者局に送信する順番を定めるスケジューリング処理を行い、無線ＭＡＣフレームにヘッダ領域を付与して、ＴＤＭＡ／ＴＤＤ部へ転送する。
【００９２】
なお、基地局から各加入者局へのデータ転送の順番の公平を確保する場合には、スケジューリング処理部を、たとえば、ラウンドロビン制御により動作させればよい。
【００９３】
上りＭＡＣスケジューリング処理部は、各加入者局に用意される上り加入者局バッファを備えている。さらに、上りＭＡＣスケジューリング処理部は、Ｕ−ＣＰＵ部を備えている。Ｕ−ＣＰＵ部は、ＴＤＭＡ／ＴＤＤから送信される複数の無線ＭＡＣフレームを上り加入者局バッファに格納し、格納した複数の無線ＭＡＣフレームを合成してＥｔｈｅｒ信号を生成し、複数の無線ＭＡＣフレームを送信した加入者局の加入者局番号とＶＬＡＮ−加入者局対応テーブルとを参照して、生成したＥｔｈｅｒ信号にＶＬＡＮタグを付与してＶＬＡＮタグ付Ｅｔｈｅｒ信号を生成し、生成したＶＬＡＮタグ付Ｅｔｈｅｒ信号をＥ−ＣＰＵへ送信する。
【００９４】
ＴＤＭＡ／ＴＤＤ制御部は、下りＭＡＣスケジューリング処理部から転送された無線ＭＡＣフレームを下りデータ領域として、さらに該下りデータ領域に加入者局番号や再合成情報などのヘッダ領域を付与して下り回線情報とし、これを前記変復調部へ転送する。
【００９５】
また、ＴＤＭＡ／ＴＤＤ制御部は、加入者局から転送される上り回線情報を、上り回線情報のヘッダ領域の再合成情報に基づき無線ＭＡＣフレームを生成し、上り回線情報のヘッダ領域の加入者局番号に基づき、生成した無線ＭＡＣフレームを前記上りＭＡＣスケジューリング処理部のＵ−ＣＰＵに転送する。
変復調部は、ＴＤＭＡ／ＴＤＤ制御部から転送される下り回線情報を変調する。また、変復調部は、加入者局から転送される上り回線情報を復調する。
【００９６】
図２は、本発明の第１の実施の形態に係る加入者局を示す図である。加入者局は、基地局から送信されたＭＡＣフレームを受信する。加入者局は、再合成情報に基づいて、受信した複数のＭＡＣフレームを合成し、ＶＬＡＮタグ付Ｅｔｈｅｒ信号を生成する。
【００９７】
加入者局は、この生成したＶＬＡＮタグ付Ｅｔｈｅｒ信号からＶＬＡＮタグを削除しデータシフトを行い、ＶＬＡＮタグ無しＥｔｈｅｒ信号を生成する。加入者局は、生成したＶＬＡＮタグ無しＥｔｈｅｒ信号を、該加入者局に収容されている端末に送信する。
【００９８】
以上、本発明の第１の実施の形態に係る加入者局について説明したが、以下、この加入者局についてさらに詳細に説明する。加入者局は、変復調部とＴＤＭＡ／ＴＤＤ制御部と、端末インタフェース部を有する。
【００９９】
変復調部は、前記基地局から送信される下り回線情報を復調する。また、変復調部は、ＴＤＭＡ／ＴＤＤ制御部から転送される上り回線情報を変調する。ＴＤＭＡ／ＴＤＤ制御部は、変復調部から転送される下り回線情報から、下り回線情報のヘッダ領域の再合成情報に基づき無線ＭＡＣフレームを生成し、該生成した無線ＭＡＣフレームを後記端末インタフェース部のＭ−ＣＰＵ部に転送する。
【０１００】
また、ＴＤＭＡ／ＴＤＤ制御部は、後記端末インタフェース部のＭ−ＣＰＵから転送される無線ＭＡＣフレームを上りデータ領域として、さらに該上りデータ領域に加入者局番号や再合成情報などのヘッダ領域を付与して上り回線情報とし、これを前記変復調部へ転送する。
【０１０１】
端末インタフェース部は、基地局から送信されるデータを蓄積する下りバッファと端末から送信されるデータを蓄積する上りバッファを備えている。さらに、端末インタフェース部は、下り処理と上り処理とを行うＭ−ＣＰＵ部を備えている。ここで、下り処理とは、ＴＤＭＡ／ＴＤＤ制御から転送される無線ＭＡＣフレームを下りバッファに格納し、格納した無線ＭＡＣフレームのヘッダ領域の再合成情報に基づいて、ＶＬＡＮタグ付Ｅｔｈｅｒ信号を生成し、生成したＶＬＡＮタグ付Ｅｔｈｅｒ信号からＶＬＡＮタグを削除して、これを端末へ転送する処理をいう。
【０１０２】
上り処理とは、端末から送信されるＶＬＡＮタグ無しＥｔｈｅｒ信号を無線ＭＡＣフレームに分割し、該分割した無線ＭＡＣフレームに再合成情報を付与して、前記上りバッファに格納し、該格納した無線ＭＡＣフレームを前記ＴＤＭＡ／ＴＤＤ制御部へ転送する処理をいう。
【０１０３】
図３は、本発明の第２の実施の形態を示す図である。図３において、基地局は、ネットワークから送信されたＶＬＡＮタグ付Ｅｔｈｅｒ信号を、固定長の無線ＭＡＣフレームに分割して、該基地局の下りバッファに格納する。
【０１０４】
基地局は、ＶＬＡＮ−加入者局対応テーブルを参照して、分割された複数の無線ＭＡＣフレームを、ＶＬＡＮタグが示す加入者局用の下り加入者局バッファに格納する。
【０１０５】
基地局は、前記複数のＭＡＣフレームに対して、該複数のＭＡＣフレームを受信する加入者局がこれら複数のＭＡＣフレームを合成するための再合成情報を付加する。
【０１０６】
基地局は、合成情報を付加した複数のＭＡＣフレームを、ＶＬＡＮタグが示す加入者局へ送信する。加入者局は、基地局から送信されたＭＡＣフレームを受信する。加入者局は、再合成情報に基づいて、受信した複数のＭＡＣフレームを合成し、ＶＬＡＮタグ付Ｅｔｈｅｒ信号を生成する。
【０１０７】
本実施の形態においては、各加入者局にあらかじめ非透過モードまたは透過モードを示すＶＩＤ処理モードが設定されている。
加入者局は、加入者局に設定されているＶＩＤ処理モードが非透過モードの場合には、生成したＶＬＡＮタグ付Ｅｔｈｅｒ信号からＶＬＡＮタグを削除しデータシフトを行うことにより、ＶＬＡＮタグ無しＥｔｈｅｒ信号を生成し、生成したＶＬＡＮタグ無しＥｔｈｅｒ信号を、加入者局に収容されている端末に送信する。
【０１０８】
一方、加入者局は、加入者局に設定されているＶＩＤ処理モードが透過モードの場合には、生成したＶＬＡＮタグ付Ｅｔｈｅｒ信号を加入者局に収容されている端末へ転送する。図３に示すように、ＶＩＤ処理モードに透過モードが設定されている加入者局には、複数の加入者を収容できる。この場合、加入者局は、ＶＬＡＮタグに基づいて、自己が収容する端末を識別し、このＶＬＡＮタグにより識別される端末にＶＬＡＮタグ付Ｅｔｈｅｒ信号を転送する。
【０１０９】
【発明の効果】
以上説明したように、本発明によれば、基地局のＣＰＵ負荷を低減させることができる。したがって、本発明によれば、通信システム全体のパフォーマンスを向上させて、スループットの低下を防止することができる。
【０１１０】
また、本発明において、透過モードが設定された加入者局には、複数の端末を収容することができる。したがって、本発明によれば、透過モードと非透過モードとを切り替えることにより、加入者局を、単一のユーザを収容する加入者局にしたり、複数のユーザを収容する加入者局にしたりすることができる。
【図面の簡単な説明】
【図１】本発明の第１の実施の形態に係る基地局を示す図である。
【図２】本発明の第１の実施の形態に係る加入者局を示す図である。
【図３】本発明の第２の実施の形態を示す図である。
【図４】本発明の実施の形態を適用する通信システムの一例を示す図である。
【図５】ＴＤＭＡ／ＴＤＤを採用する通信システムにおける無線フレームの構成例を示す図である。
【図６】従来のＥｔｈｅｒ信号処理例（基地局）を示す図である。
【図７】従来のＥｔｈｅｒ信号処理例（加入者局）を示す図である。
【符号の説明】
１１    基地局
１２    アンテナ
２１（１）    加入者局
２１（２）    加入者局
２１（３）    加入者局
２２（１）    アンテナ
２２（２）    アンテナ
２２（３）    アンテナ
ＴＳ１１    下りヘッダ領域
ＴＳ１２    下りデータ領域
ＴＳ１３    ＤＭＦ領域
ＴＳ１４    スロットデマンド領域
ＴＳ１５    上りデータ領域
ＴＳ１６    ガードタイム
【図１】
0003836385.tif 000002
【図２】
0003836385.tif 000003
【図３】
0003836385.tif 000004
【図４】
0003836385.tif 000005
【図５】
0003836385.tif 000006
【図６】
0003836385.tif 000007
【図７】
0003836385.tif 000008